(57)【要約】【課題】マンホール内の作業空間に外部の光などを十分に取り込むことができると共にマンホール内に作業用足場を簡単に設置できるようにした吊下げ式足場を提供する。【解決手段】足場板２を貫通して形成した複数の採光用の開口部３と足場板２の他端側に固着したフック掛止具８を備えた足場板２と、掛止部１１とロープ挿通孔１３を備えた吊下げ板１０とから吊下げ式足場１を構成した。既設のステップ金具３１を利用して作業用足場を形成する際に、マンホール内の作業空間に外光などを十分に取り込むことができる。また、吊下げ式足場１を既設のステップ金具３１に掛止する場合、マンホール内の作業員がロープを片手で把持して、吊下げ板１０をステップ金具３１の位置に合わせるだけで、マンホール内に作業用足場を簡単に設置することができる。【選択図】図１
0003161419.tif 000002
【実用新案登録請求の範囲】
【請求項１】
マンホール内の壁面に設置されている既設のステップ金具に着脱自在に掛止可能な吊下げ式足場であって、
該吊下げ式足場は、足場板と該足場板の一端側の両側から上方へ突出させて設けた一対の吊下げ板とからなり、
前記足場板は該足場板を貫通して形成した複数の採光用の開口部と前記足場板の他端側に固着したフック掛止具を備え、前記各吊下げ板は掛止部とロープ挿通孔を備え、また、前記フック掛止具と前記各ロープ挿通孔に吊下げ用のロープが取り付けられることを特徴とする吊下げ式足場。
【請求項２】
前記開口部は、該開口部の開口面積が前記足場板の一端側から他端側にかけて漸次大きくなるように形成されていることを特徴とする請求項１に記載の吊下げ式足場。
【請求項３】
前記開口部は、開口面積の異なる複数の開口部から形成され、これらの開口面積の異なる複数の開口部が前記足場板の一端側から他端側にかけて交互に形成されていることを特徴とする請求項１に記載の吊下げ式足場。
【請求項４】
前記ロープは、１本の主ロープと該主ロープに緊結部を介して連結した３本の副ロープとからなり、３本の副ロープの内、２本の副ロープは同じ長さに設定され、残りの１本の副ロープは２本の副ロープよりも短く設定されており、１本の短尺の副ロープは前記フック掛止具に取り付けられると共に、２本の長尺の副ロープは前記ロープ挿通孔に取り付けられることを特徴とする請求項１から３のいずれかに記載の吊下げ式足場。
【請求項５】
前記３本の副ロープの内、少なくとも１本の副ロープは前記フック掛止具または前記ロープ挿通孔に掛止されるフックを備えることを特徴とする請求項４に記載の吊下げ式足場。
【考案の詳細な説明】
【技術分野】
【０００１】
本考案は、下水道施設などのマンホール内の壁面に設置されているステップ金具に掛止して使用する吊下げ式足場に係り、特に、マンホール内の狭い作業空間で各種作業をする場合に作業用の足場として使用することができる吊下げ式足場に関する。
【背景技術】
【０００２】
一般に、コンクリート製のマンホールの内壁面には、作業員などが昇降するための複数のステップ金具が上下方向に所定の間隔で設置されており、これらのステップ金具を利用してマンホール内で各種作業が行われている。
【０００３】
特許文献１には従来のハンガー式作業足場板が開示されている。このハンガー式作業足場板は、足場板本体と、この足場板本体の上面前端両側から上方へ突出する一対のハンガー板部とからなり、ハンガー板部は、その前端が、足場板本体の前端と面一に形成された壁面当接部と、この壁面当接部の上端から後方に延びるアーム部と、このアーム部の上端に形成された鉤部とから構成され、鉤部をマンホール内のステップ金具に掛止することにより、マンホール内に作業用の足場を形成するようにしている。
【０００４】
また、特許文献２には従来の可搬式ステップが開示されている。この可搬式ステップは、マンホール内の壁面に設けられている既設ステップに係合可能なフック部と、このフック部から壁面に向けて屈曲させると共に、その屈曲端部を鋭角に折返した肘部と、この肘部の折返し端に連接された足載せ部とから構成され、この足載せ部に板材を載せて作業台として利用するようにしている。
【先行技術文献】
【特許文献】
【０００５】
【特許文献１】特開平８−２０９６１号公報
【特許文献２】特開２００２−３３９３８６号公報
【考案の概要】
【考案が解決しようとする課題】
【０００６】
特許文献１に開示されたハンガー式作業足場板では、鉤部をステップ金具に掛止することにより、マンホール内に作業足場を形成することができるが、マンホールの開口部から入射する外部の光をマンホール内に取り込もうとした場合、足場板本体により外部の光が遮られて、足場板本体の下方のマンホール内の空間に外部の光を十分に取り込むことができない。そのため、マンホール内の作業環境を確保するためには、照明灯などを別途用意する必要がある。また、ハンガー式作業足場板をステップ金具に掛止する場合、作業員が重量のある足場板本体を支えながら、ステップ金具に鉤部を掛止する作業を行わなければならないため、ハンガー式作業足場板の設置作業が困難となるおそれがある。
【０００７】
また、特許文献２に開示された可搬式ステップでは、特許文献１のハンガー式作業足場板と同様に、足載せ部に板材を載せて作業台として利用しているので、作業台の下方のマンホール内の空間に外部の光を十分に取り込むことができない。また、可搬式ステップを既設ステップに掛止する場合、特許文献１のハンガー式作業足場板と同様に、作業員が重量のある可搬式ステップを支えながら、既設ステップにフック部を掛止しなければならないため、可搬式ステップの設置作業が困難となるおそれがある。
【０００８】
本考案は、上述した事情に鑑みてなされたもので、マンホール内の既設のステップ金具を利用して作業用足場を形成する場合に、マンホール内の作業空間に外部の光や照明灯の光などを十分に取り込むことができると共に、マンホール内に作業用足場を簡単に設置できるようにした吊下げ式足場を提供することを目的とする。
【課題を解決するための手段】
【０００９】
請求項１に記載の吊下げ式足場に係る考案は、マンホール内の壁面に設置されている既設のステップ金具に着脱自在に掛止可能な吊下げ式足場であって、該吊下げ式足場は、足場板と該足場板の一端側の両側から上方へ突出させて設けた一対の吊下げ板とからなり、前記足場板は該足場板を貫通して形成した複数の採光用の開口部と前記足場板の他端側に固着したフック掛止具を備え、前記各吊下げ板は掛止部とロープ挿通孔を備え、また、前記フック掛止具と前記各ロープ挿通孔に吊下げ用のロープが取り付けられることを特徴とする。
【００１０】
請求項２に記載の吊下げ式足場に係る考案は、請求項１に記載の考案において、前記開口部は、該開口部の開口面積が前記足場板の一端側から他端側にかけて漸次大きくなるように形成されていることを特徴とする。
【００１１】
請求項３に記載の吊下げ式足場に係る考案は、請求項１に記載の考案において、前記開口部は、開口面積の異なる複数の開口部から形成され、これらの開口面積の異なる複数の開口部が前記足場板の一端側から他端側にかけて交互に形成されていることを特徴とする。
【００１２】
請求項４に記載の吊下げ式足場に係る考案は、請求項１から３のいずれかに記載の考案において、前記ロープは、１本の主ロープと該主ロープに緊結部を介して連結した３本の副ロープとからなり、３本の副ロープの内、２本の副ロープは同じ長さに設定され、残りの１本の副ロープは２本の副ロープよりも短く設定されており、１本の短尺の副ロープは前記フック掛止具に取り付けられると共に、２本の長尺の副ロープは前記ロープ挿通孔に取り付けられることを特徴とする。
【００１３】
請求項５に記載の吊下げ式足場に係る考案は、請求項４に記載の考案において、前記３本の副ロープの内、少なくとも１本の副ロープは前記フック掛止具または前記ロープ挿通孔に掛止されるフックを備えることを特徴とする。
【００１４】
本考案に係る吊下げ式足場は、基本的には、請求項１〜５のように構成されるが、採光用の開口部は、足場板の強度を十分に確保できる範囲で、円形、楕円形、三角形、四角形、または、多角形などの適宜の形状に形成することができる。また、開口部の配置形態は、１列または２列以上で等間隔または不等間隔に形成することができ、さらに、開口部の大きさや数は、足場板の強度を十分に確保できる範囲で任意に設定することができる。
また、ロープは、１本または２本の副ロープにフックを備えるだけでなく、３本の全ての副ロープの先端にそれぞれフックを設けて、各フックをフック掛止具とロープ挿通孔に着脱自在に掛止してもよい。また、ロープの代わりにワイヤを利用してもよい。
【考案の効果】
【００１５】
請求項１に係る考案によれば、吊下げ式足場は、足場板と該足場板の一端側の両側から上方へ突出させて設けた一対の吊下げ板とからなり、足場板は該足場板を貫通して形成した複数の採光用の開口部と足場板の他端側に固着したフック掛止具を備え、各吊下げ板は掛止部とロープ挿通孔を備え、また、フック掛止具と各ロープ挿通孔に吊下げ用のロープが取り付けられるので、マンホール内に設けた既設のステップ金具を利用して作業用足場を形成する際に、マンホール内の作業空間に、マンホールの開口部から入射する外光や照明灯の光などを十分に取り込むことができる。また、マンホール内に持ち込んだ吊下げ式足場を既設のステップ金具に掛止する場合、地上の作業員とマンホール内の作業員が協力して、マンホール内の作業員が片手でロープを把持して、吊下げ板をステップ金具の位置に合わせるように調整するだけで、マンホール内に作業用の足場を簡単に設置することができる。
【００１６】
また、請求項２に係る考案によれば、請求項１の効果に加えて、開口部は、該開口部の開口面積が足場板の一端側から他端側にかけて漸次大きくなるように形成されているので、マンホール内の壁面側に比べて、マンホール内の中央部の作業空間に外部の光や照明灯の光などを十分に取り込むことができる。
【００１７】
さらに、請求項３に記載の考案によれば、請求項１の効果に加えて、開口部は、開口面積の異なる複数の開口部から形成され、これらの開口面積の異なる複数の開口部が足場板の一端側から他端側にかけて交互に形成されているので、マンホール内の作業空間全体に万遍なく外部の光や照明灯の光などを取り込むことができる。
【００１８】
また、請求項４に記載の考案によれば、請求項１から３のいずれかの効果に加えて、ロープは、１本の主ロープと該主ロープに緊結部を介して連結した３本の副ロープとからなり、３本の副ロープの内、２本の副ロープは同じ長さに設定され、残りの１本の副ロープは２本の副ロープよりも短く設定されており、１本の短尺の副ロープはフック掛止具に取り付けられると共に、２本の長尺の副ロープはロープ挿通孔に取り付けられるので、吊下げ式足場を既設のステップ金具に掛止する際に、吊下げ式足場は足場板の一端側が下方に傾斜するようにロープで吊持されるため、吊下げ板をステップ金具に対向するように当接させて、吊下げ板をステップ金具に向けて下方へスライドさせるだけで、吊下げ板の掛止部をステップ金具に掛止することができる。そのため、マンホール内の所定の作業位置に吊下げ用足場を設置する作業負担を大幅に軽減することが可能となる。
【００１９】
さらに、請求項５に記載の考案によれば、請求項４の効果に加えて、３本の副ロープの内、少なくとも１本の副ロープは、フック掛止具またはロープ挿通孔に掛止されるフックを備えるので、マンホール内の所定の作業位置に吊下げ用足場を設置した後に、副ロープの取り外し作業が簡単となると共に、足場板の周囲の作業環境を改善することができる。
【図面の簡単な説明】
【００２０】
【図１】本考案の実施の形態に係る吊下げ式足場をマンホール内のステップ金具に掛止した状態を示す斜視図である。
【図２】図１に示す吊下げ式足場の平面図である。
【図３】図１に示す吊下げ式足場の側板部を省略した側面図である。
【図４】図１に示す吊下げ式足場の裏面図である。
【図５】図１に係る吊下げ式足場をマンホール内のステップ金具に掛止する直前の状態を図示した側面図である。
【図６】本考案の他の実施の形態に係る吊下げ式足場の平面図である。
【図７】本考案のさらに他の実施の形態に係る吊下げ式足場の平面図である。
【考案を実施するための形態】
【００２１】
以下、本考案の実施の形態に係る吊下げ式足場を図１〜図５に基づいて説明するが、図１〜図５に示す実施の形態は本考案の最良の実施の形態を例示するものであり、本考案はこの実施の形態に限定されるものではない。また、この技術の分野において、従来から普通に実施されている自明な事項については、適宜その説明を省略する。
【００２２】
まず、本考案の実施の形態に係る吊下げ式足場の概要を説明する。
図１に示すように、本考案の実施の形態に係る吊下げ式足場１は、既設のまたは工事中のマンホール内のマンホール壁３０に設置された既設のステップ金具３１に掛止して、マンホール内の各種の作業をするために使用するものである。また、図５に示すように、本考案の実施の形態に係る吊下げ式足場１は、マンホール内の適宜のステップ金具３１に掛止する際に、吊下げ用のロープ２０を利用する。その際に、マンホール外の地上の作業員とマンホール内の作業員が協力して、ロープ２０を上下動させながら、所定のステップ金具３１に吊下げ式足場１を掛止する。また、吊下げ式足場１を所定のステップ金具３１に掛止させた後に、ロープ２０の３本の副ロープ２２の各フック２４をフック掛止具８およびロープ挿通孔１３から取り外して、足場板２上で作業する作業員の邪魔にならないようにしている。
なお、吊下げ式足場１を所定のステップ金具３１に掛止させた後に副ロープ２２を取り外す場合、３本の副ロープ２２の内、いずれか１本の副ロープ２２を取り外してもよいし、或いは、３本の副ロープ２２の内、いずれか２本の副ロープ２２を取り外してもよい。この場合、３本の副ロープ２２の内、少なくとも１本の副ロープ２２が、フック掛止具８またはロープ挿通孔１３に取り付けられた状態となるため、吊り下げ式足場１の作業位置を変更する場合に便利である。
【００２３】
図１〜図４に示すように、吊下げ式足場１は、足場板２と、該足場板２の上面の一端側（マンホール壁３０に対向する側）から上方に突出させて設けた一対の吊下げ板１０とから構成されている。足場板２は、ほぼ長方形状の縞鋼板から構成され、足場板２の上面に滑り止め加工がなされている。
足場板２は、長方形を形成する４辺の内、長辺に沿った２辺が下方に折り曲げられて側板部４として形成され、この側板部４の内面がフレーム７（図３及び図４参照）の外側面に固着されている。また、足場板２の一端側に位置する短辺は、上方に折り曲げられて足場板２の補強部５を形成している。さらに、補強部５の両側部は、足場板２の他端側に折り曲げられて折曲部６として形成され、この折曲部６は、その下端部が足場板２の上面に固着されて、足場板２の一端側を補強している。また、足場板２の他端側に位置する短辺は下方に折り曲げられて短辺側の側板部４として形成され、この短辺側の側板部４の両側端部の内面は、フレーム７の端部と長辺側の側板部４の端部に固着されて、足場板２を補強している。また、短辺側の側板部４の外面には、足場板２の他端側から外方に突出するようにフック掛止具８が固着されている。
なお、この実施の形態では、フック掛止具８は足場板２の短辺側の側板部４の外面に固着されているが、例えば、後述するロ字形状或いは田字形状のフレーム７を用いた場合には、フック掛止具８はフレーム７にも固着される。
【００２４】
また、足場板２には、図１および図２に示すように、足場板２を貫通する複数の採光用の開口部６が形成されている。この実施の形態では、合計６個の円形の開口部６が２列並列して形成されており、これらの開口部６の開口面積はほぼ同一の開口面積に設定されている。また、開口部６の数と開口面積は、足場板２の強度を確実に維持できる範囲に設定されている。この実施の形態に係る吊下げ式足場１によれば、足場板２に複数の採光用の開口部６を形成することにより、吊下げ式足場１をステップ金具３１に掛止した際に、複数の開口部６を介して、足場板２の下方のマンホール内の空間に、マンホールの開口部から入射する外光やマンホール内の適宜の位置に取り付けた照明灯からの光を十分に取り込むことができ、マンホール内の作業空間を快適な作業空間に維持することが可能となる。
なお、この実施の形態では、採光用の開口部は円形に形成されているが、楕円形、三角形、四角形、多角形など、適宜の形状に形成することができる。また、開口部の配置形態は、１列または３列以上で等間隔または不等間隔に形成することができ、さらに、開口部の大きさや数は、足場板の強度を十分に確保できる範囲で任意に設定することができる。
ここで、フレーム７は、図３および図４に示すように、ほぼコ字形状に枠組みされた鋼材から形成されており、足場板２の一端側に位置する短辺側に、後述する吊下げ板１０の基部１５が固着される。また、足場板２の他端側に位置するフレーム７の長辺側の端部は、足場板２の短辺側の側板部４の内面に固着されている。この実施の形態では、フレーム７は、ほぼコ字形状の枠組みで形成されているが、全周を連結したロ字形状の枠組み、ロ字形状の枠組みを十字形状の補助フレームで補強した田字形状の枠組みなど、適宜の形状の枠組みを利用してもよい。
【００２５】
一対の吊下げ板１０は、上下方向に細長い一枚の鋼板からそれぞれ構成されており、各吊下げ板１０の基部１５は、足場板２を貫通して、フレーム７の短辺側の内側面に固着されると共に、足場板２の補強部５の内面に固着されている。また、各吊下げ板１０の上部には、ステップ金具３１に掛止する掛止部１１が形成されている。さらに、一対の吊り下げ板１０は、それぞれの対向する中間部が補強板１４で連結されて補強されている。そして、各吊下げ板１０には、補強板１４の近傍に、それぞれロープ挿通孔１３が形成されている。また、各吊下げ板１０には、補強板１４の上端近傍から掛止部１１にかけて案内部１２が形成されている。この案内部１２は、吊下げ式足場１をステップ金具３１に掛止する際に、ステップ金具３１に当接させた状態で吊下げ板１０をステップ金具３１に沿って下方へスライドさせることにより、ステップ金具３１を案内部１２に沿って掛止部１１まで案内して、掛止部１１をステップ金具３１に掛止させるように機能する。このため、マンホール内の作業空間が狭い場合でも、吊下げ式足場１をステップ金具３１に掛止する作業が簡便となり、作業効率を向上させることが可能となる。
なお、本考案の実施の形態に係る吊下げ式足場１を構成する足場板２、吊下げ板１０およびフレーム７は鋼材から構成されているが、強度的に問題がなければ、アルミニュウム製の素材から構成してもよいし、また、強化プラスチック製の素材から構成してもよい。
【００２６】
吊下げ式足場１を所定のステップ金具３１に掛止する際に使用する吊下げ用のロープ２０は、１本の主ロープ２１と、この主ロープ２１に緊結部２３を介して連結した３本の副ロープ２２から構成されている。そして、３本の副ロープ２２は、同じ長さの２本の長尺の副ロープ２２と、この２本の長尺の副ロープ２２よりも短い１本の短尺の副ロープ２２から構成されている。また、１本の短尺の副ロープ２２の先端にフック２４が取り付けられており、このフック２４は足場板２の他端側に固着したフック掛止具８に掛止される。さらに、２本の長尺の副ロープ２２の先端にそれぞれフック２４が取り付けられており、これらのフック２４は吊下げ板１０のロープ挿通孔１３にそれぞれ掛止される。このように、ロープ２０は、２本の長尺の副ロープ２２と１本の短尺の副ロープ２２とから構成されているため、吊下げ式足場１を既設のステップ金具３１に掛止する際に、１本の短尺の副ロープ２２をフック掛止具８に取り付けると共に２本の長尺の副ロープ２２をロープ挿通孔１３に取り付けると、吊下げ式足場１は、足場板２の一端側が下方に傾斜するように、３点支持された状態で吊持される。
なお、この実施の形態では、３本の副ロープ２２にそれぞれフック２４を備えているが、１本または２本の副ロープ２２にフック２４を備えていてもよい。この場合、フック２４を備えていない副ロープ２２は、その先端をフック掛止具８またはロープ挿通孔１３に適宜の手段で取り付ける。また、吊下げ用のロープとしてロープ材を利用しているが、ワイヤ材でもよい。
【００２７】
次に、本考案の実施の形態に係る吊下げ式足場１を、マンホール内に設置したステップ金具３１に掛止する作業工程について、図５を参照して説明する。なお、図５では、吊下げ式足場１をマンホール壁３０に設置したステップ金具３１に掛止する直前の状態を図示している。
【００２８】
まず、マンホール外の地上で、吊下げ式足場１とロープ２０を準備する。この場合、吊下げ式足場１とロープ２０は、別体とした形態、或いは、３本の副ロープ２２のいずれかをフック掛止具８または吊下げ板１０のロープ挿通孔１３に予め取り付けた形態のいずれでもよい。
吊下げ式足場１とロープ２０とが別体の形態では、吊下げ式足場１のフック掛止具８に、フック２４を介して、短尺の副ロープ２２を取り付けると共に、一対の長尺の副ロープ２２を、それぞれフック２４を介して、一対の吊下げ板１０のロープ挿通孔１３に取り付ける。また、３本の副ロープ２２のいずれかをフック掛止具８または吊下げ板１０のロープ挿通孔１３に予め取り付けた形態では、吊下げ式足場１のフック掛止具８またはロープ挿通孔１３に、フック２４を介して残りの副ロープ２２を取り付ける。すると、図５に示すように、吊下げ式足場１は、足場板２の一端側が下方に傾斜した状態で３本の副ロープ２２で３点支持された状態となる。
【００２９】
次に、マンホール内で作業する作業員がマンホール内の所定の位置で待機する。その後、マンホール外の地上の作業員が、ロープ２０で吊下げた吊下げ式足場１を、マンホールの開口からマンホール内に搬入する。この場合、地上の作業員は、ロープ２０の主ロープ２１を把持しながら、吊下げ式足場１をマンホール内に降下させてもよいが、架台などで吊下げたロープ２０を介して吊下げ式足場１を降下させてもよい。
その後、マンホール内の作業員は、上方から降下してきた吊下げ式足場１のロープ２０（主ロープ２１または副ロープ２２のいずれでもよい）を片手で把持して、所定のステップ金具３１に対向させる。この場合、吊下げ式足場１は、１本の短尺の副ロープ２２と２本の長尺の副ロープ２２で足場板２の一端側が下方に傾斜した状態で支持されているので、吊下げ板１０をステップ金具３１に対向するように当接させるだけで、吊下げ用足場１を簡単に位置決めすることができる。ここで、吊り下げ式足場１を所定のステップ金具３１に位置決めする場合、吊り下げ板１０の案内部１２をステップ金具３１に当接させて行うほうが位置決めしやすい。
【００３０】
次に、吊下げ板１０をステップ金具３１に当接させた状態で、吊り下げ板１０の案内部１２をステップ金具３１に沿って、図５の矢印の方向にスライドさせる。すると、ステップ金具３１は、吊下げ板１０の掛止部１１まで案内され、図１に示すように、ステップ金具３１に掛止部１１を掛止させた状態で、吊下げ式足場１は所定のステップ金具３１に掛止される。
そして、吊下げ式足場１を所定のステップ金具３１に掛止させた後は、３本の副ロープ２２のフック２４をフック掛止具８とロープ挿通孔１３から外して、ロープ２０を吊下げ式足場１から取り外す。
以上の作業工程により、マンホール内の所定位置に作業用の足場を設置することができる。
なお、吊下げ式足場１の作業位置を変更する場合、または、吊下げ式足場１をマンホールの外に搬出する場合には、３本の副ロープ２２の各フック２４をフック掛止具８とロープ挿通孔１３に掛止して、吊下げ式足場１をロープ２０で吊り下げた状態で行う。この場合にも、マンホール内の作業員とマンホール外の地上の作業員が協力して行うほうがより安全である。
【００３１】
次に、本考案の他の実施の形態に係る吊下げ式足場を図６に基づいて説明する。
図６に示す吊下げ式足場１では、足場板２を貫通するように合計６個の採光用の円形の開口部３が２列並列して形成されている。この実施の形態では、開口部３は、開口部３の開口面積が、足場板２の一端側（図６の右側）から他端側（図６の左側）にかけて漸次大きくなるように形成されている。このため、掛止部１１をステップ金具３１（図１参照）に掛止すると、開口面積の大きい開口部３がマンホール内の中央寄りに配置されるため、マンホール内の壁面側に比べて、マンホール内の中央部の作業空間に外部の光や照明等の光などを十分に取り込むことができる。
なお、この他の実施の形態でも、採光用の開口部は、足場板の強度を十分に確保できる範囲で、円形、楕円形、三角形、四角形、または、多角形などの適宜の形状に形成することができる。また、開口部の配置形態は、１列または３列以上で等間隔または不等間隔に形成することができ、さらに、開口部の大きさや数は、足場板の強度を十分に確保できる範囲で任意に設定することができる。
【００３２】
本考案のさらに他の実施の形態に係る吊下げ式足場を図７に基づいて説明する。
図７に示す吊下げ式足場１では、足場板２を貫通するように合計６個の採光用の円形の開口部３が２列並列して形成されている。この実施の形態では、開口部３は、開口面積の大きい開口部３と、開口面積の小さい開口部３が、足場板２の一端側（図６の右側）から他端側（図６の左側）にかけて交互に形成されている。このため、開口面積の大きい開口部３と開口面積の小さい開口部３が交互に配置されるため、掛止部１１をステップ金具３１（図１参照）に掛止すると、マンホール内の作業空間の全体に万遍なく外部の光や照明等の光などを取り込むことができる。
なお、このさらに他の実施の形態でも、採光用の開口部は、足場板の強度を十分に確保できる範囲で、円形、楕円形、三角形、四角形、または、多角形などの適宜の形状に形成することができる。また、開口部の配置形態は、１列または３列以上で等間隔または不等間隔に形成することができ、さらに、開口部の大きさや数は、足場板の強度を十分に確保できる範囲で任意に設定することができる。
【符号の説明】
【００３３】
１  吊下げ式足場、２  足場板、３  開口部、４  側板部、５  補強部、６  折曲部、７  フレーム、８  フック掛止具、１０  吊下げ板、１１  掛止部、１２  案内部、１３  ロープ挿通孔、１４  補強板、１５  基部、２０  ロープ、２１  主ロープ、２２  副ロープ、２３  緊結部、２４  フック、３０  マンホール壁、３１  ステップ金具
【図１】
0003161419.tif 000003
【図２】
0003161419.tif 000004
【図３】
0003161419.tif 000005
【図４】
0003161419.tif 000006
【図５】
0003161419.tif 000007
【図６】
0003161419.tif 000008
【図７】
0003161419.tif 000009